(57)【要約】【課題】有線式操作部と異なる複数のレンジからのリモコン信号を受信し運転指令を与える無線式受信装置を備えたレンジフードファンにおいて、複数の調理機器からのリモコン信号に対応する風量での運転をより細かに行えるようにする。【解決手段】レンジフードファンを複数のリモコン信号に対応可能とし、複数の調理機器がレンジフードファンに対して発信するリモコン信号を識別および記憶し優先順位をつける機能を設ける事を問題解決の手段としている。これによれば、レンジフードファンは複数の調理機器が発する赤外線信号に対応し、最適な風量での運転が可能となる。【選択図】図１
2008116120.tif 000002
【特許請求の範囲】
【請求項１】
電動送風機と、前記電動送風機の運転制御を行う制御装置と、前記制御装置と有線にて接続される操作部と、ＩＨクッキングヒーター等の調理機器が発するリモコン信号を受信して制御装置に運転指令を与えるリモコン受信部を備え、２台以上の調理機器が各々発する仕様の異なるリモコン信号の受信が可能であることを特徴とするレンジフードファン。
【請求項２】
請求項１において、２台以上の調理機器が発する仕様の異なるリモコン信号を受け、レンジフードファンが各調理機器からの運転要求内容に従い運転する事を特徴とするレンジフードファン。
【請求項３】
請求項１、請求項２において、各調理機器がレンジフードファンに対して要求する運転内容を識別および記憶し、優先順位をつける事で最適な風量での運転指令を行うことを特徴とするレンジフードファン。
【発明の詳細な説明】
【技術分野】
【０００１】
本発明は、有線式操作部とリモコン信号受信装置を備えたレンジフードファンの制御装置に関するものである。
【背景技術】
【０００２】
レンジフードファンにおいて、有線式操作部とリモコン信号受信装置を備え、調理機器からのリモコン信号を受信し、調理機器が要求する運転内容を判断し風量の切り替えを行うものがある。
【発明の開示】
【発明が解決しようとする課題】
【０００３】
従来のレンジフードファンは、単一のリモコン信号のみ受信可能であるため、リモコン信号を発する調理機器が２台以上ある場合には、どちらの機器より発せられたリモコン信号であるか識別が出来ない。
【０００４】
このため、１台目の調理機器からのリモコン信号による運転中に、２台目の調理機器より現在運転中の風量より小さな風量を要求するリモコン信号を受信した場合、１台目の調理機器が必要とする風量より小さな風量でレンジフードファンが運転する事が考えられる。
【０００５】
本発明は、無線式または有線式のリモコン受信部を備えたレンジフードファンにおいて、複数の調理機器からのリモコン信号を記憶し、優先順位を判定して運転指令を行うことにより、現在運転中の調理機器に対応する最適な風量で運転する事が可能なレンジフードファンを提供することにある。
【課題を解決するための手段】
【０００６】
本発明は、電動送風機と、前記電動送風機の運転制御を行う制御装置と、制御装置に運転指令を与える有線式操作部と、リモコン信号を受信し運転指令を与える無線式受信装置を備えると共に、複数の異なるリモコン信号に対応可能とする事で、リモコン発信装置を備えた複数の調理機器から発せられたリモコン信号を識別および記憶し、優先順位を判定して最適な風量での運転指令を行うことを特徴とする。
【０００７】
また、複数の異なる調理機器からのリモコン信号により、一方の調理機器が停止した時は、記憶したもう一方の信号に対応した風量での運転指令を行うことを特徴とする。
【発明の効果】
【０００８】
本発明によれば、有線式操作部と異なる複数のレンジからのリモコン信号を受信し運転指令を与える無線式受信装置を備えたレンジフードファンにおいて、複数の調理機器からのリモコン信号に対応する風量での運転をより細かに行えるようにできる。
【発明を実施するための最良の形態】
【０００９】
以下、本発明の実施例について図面を参照して説明する。
【００１０】
図５は本発明によるレンジフードファンを備えたシステムキッチンの形態を示す。レンジフードファン1は、電動送風機２、前記電動送風機を制御する制御装置３、有線式で運転指令を行う本体操作部４、運転状態の表示を行う表示装置５、無線式でリモコン信号の受信を行う受信装置６を備える。また、前記レンジフードファン1にリモコン信号を送信する送信装置を備えたＩＨクッキングヒーター７、電子レンジ８がシステムキッチンとして使用される。
【００１１】
図４は、この実施例における制御装置３を中心にした制御ブロック図である。制御装置３は、制御系全体の中心となって信号処理を実行するマイクロコンピュータ３０と、このマイクロコンピュータ３０からの制御信号に従って電動送風機２を駆動する負荷駆動回路３１を備える。商用電源から供給された電源により、電源回路３２は、制御回路３内に電力を供給する。また、供給された電源によりリセット回路３３が動作して、マイクロコンピュータ３０が動作スタートする。本体操作部４の運転、停止などの操作により、本体操作部３４を介してマイクロコンピュータ３０に入力され、運転、停止などの運転状態の切り替えが行われる。表示部３５では、運転状態などを表示する。システムキッチンとして使用されるＩＨクッキングヒーター７、電子レンジ８から送信されるリモコン信号はリモコン信号受信部３６を介してマイクロコンピュータ３０に入力され停止などの運転状態の切り替えが行われる。
【００１２】
以上のように構成されたレンジフードファン１における前記制御装置３のマイクロコンピュータ３０が実行する運転制御処理を図１・図２・図３により説明する。
（運転パターン１）
マイクロコンピュータ３０は、リセットスタート後、ＩＨクッキングヒーター７より送信されたリモコン信号１０１を受信すると風量２０１で運転を行う。その後電子レンジ８より送信されたリモコン信号１０２を受信すると風量２０１のまま運転し、電子レンジ８より送信されたリモコン信号１０３を受信しても風量２０１のまま運転する。次にＩＨクッキングヒーター７より送信されたリモコン信号１０４を受信するとＸ分間の遅延運転を行い停止する。
（運転パターン２）
マイクロコンピュータ３０は、リセットスタート後、ＩＨクッキングヒーター７より送信されたリモコン信号１０５を受信すると風量２０１で運転を行う。その後電子レンジ８より送信されたリモコン信号１０６を受信すると風量２０２で運転し、電子レンジ８より送信されたリモコン信号１０７を受信すると風量２０１の運転に戻る。次にＩＨクッキングヒーター７より送信されたリモコン信号１０８を受信するとＸ分間の遅延運転を行い停止する。
（運転パターン３）
マイクロコンピュータ３０は、リセットスタート後、ＩＨクッキングヒーター７より送信されたリモコン信号１０９を受信すると風量２０１で運転を行う。その後電子レンジ８より送信されたリモコン信号１１０を受信すると風量２０３で運転し、電子レンジ８より送信されたリモコン信号１１１を受信すると風量２０１の運転にもどる。次にＩＨクッキングヒーター７より送信されたリモコン信号１１２を受信するとＸ分間の遅延運転を行い停止する。
（運転パターン４）
マイクロコンピュータ３０は、リセットスタート後、ＩＨクッキングヒーター７より送信されたリモコン信号１１３を受信すると風量２０２で運転を行う。その後電子レンジ８より送信されたリモコン信号１１４を受信すると風量２０２のまま運転し、電子レンジ８より送信されたリモコン信号１１５を受信しても風量２０２のまま運転する。次にＩＨクッキングヒーター７より送信されたリモコン信号１１６を受信するとＸ分間の遅延運転を行い停止する。
（運転パターン５）
マイクロコンピュータ３０は、リセットスタート後、ＩＨクッキングヒーター７より送信されたリモコン信号１１７を受信すると風量２０２で運転を行う。その後電子レンジ８より送信されたリモコン信号１１８を受信すると風量２０２のまま運転し、電子レンジ８より送信されたリモコン信号１１９を受信しても風量２０２のまま運転する。次にＩＨクッキングヒーター７より送信されたリモコン信号１２０を受信するとＸ分間の遅延運転を行い停止する。
（運転パターン６）
マイクロコンピュータ３０は、リセットスタート後、ＩＨクッキングヒーター７より送信されたリモコン信号１２１を受信すると風量２０２で運転を行う。その後電子レンジ８より送信されたリモコン信号１２２を受信すると風量２０３で運転し、電子レンジ８より送信されたリモコン信号１２３を受信すると風量２０２の運転にもどる。次にＩＨクッキングヒーター７より送信されたリモコン信号１２４を受信するとＸ分間の遅延運転を行い停止する。
（運転パターン７）
マイクロコンピュータ３０は、リセットスタート後、ＩＨクッキングヒーター７より送信されたリモコン信号１２５を受信すると風量２０３で運転を行う。その後電子レンジ８より送信されたリモコン信号１２６を受信すると風量２０２のまま運転し、電子レンジ８より送信されたリモコン信号１２７を受信しても風量２０２のまま運転する。次にＩＨクッキングヒーター７より送信されたリモコン信号１２８を受信するとＸ分間の遅延運転を行い停止する。
（運転パターン８）
マイクロコンピュータ３０は、リセットスタート後、ＩＨクッキングヒーター７より送信されたリモコン信号１２９を受信すると風量２０３で運転を行う。その後電子レンジ８より送信されたリモコン信号１３０を受信すると風量２０３のまま運転し、電子レンジ８より送信されたリモコン信号１３１を受信しても風量２０３のまま運転する。次にＩＨクッキングヒーター７より送信されたリモコン信号１３２を受信するとＸ分間の遅延運転を行い停止する。
（運転パターン９）
マイクロコンピュータ３０は、リセットスタート後、ＩＨクッキングヒーター７より送信されたリモコン信号１３３を受信すると風量２０３で運転を行う。その後電子レンジ８より送信されたリモコン信号１３４を受信すると風量２０３のまま運転し、電子レンジ８より送信されたリモコン信号１３５を受信しても風量２０３のまま運転する。次にＩＨクッキングヒーター７より送信されたリモコン信号１３６を受信するとＸ分間の遅延運転を行い停止する。
【図面の簡単な説明】
【００１３】
【図１】本発明になるレンジフードファンにおけるリモコンコードを受信した時の運転制御遷移図である。
【図２】本発明になるレンジフードファンにおけるリモコンコードを受信した時の運転制御遷移図である。
【図３】本発明になるレンジフードファンにおけるリモコンコードを受信した時の運転制御遷移図である。
【図４】本発明になるレンジフードファンの制御ブロック図である。
【図５】本発明になるレンジフードファン及びリモコンコードを送信するＩＨクッキングヒーター、電子レンジからなるシステムキッチン図である。
【符号の説明】
【００１４】
１…レンジフードファン、２…電動送風機、３…制御装置、４…本体操作部、５…表示部、６…リモコン信号受光部、７…ＩＨクッキングヒーター、８…電子レンジ。
【図１】
2008116120.tif 000003
【図２】
2008116120.tif 000004
【図３】
2008116120.tif 000005
【図４】
2008116120.tif 000006
【図５】
2008116120.tif 000007